(57)【要約】【課題】  媒体の交換や記録材の交換が容易な記録装置を提供すること。【解決手段】  媒体を給送する背面側の給紙部１３０から給送され、装置前面側に設けられた排出口１４１から排出される第１の媒体給送経路Ｌ１と、装置前面側に設けられた第２の給排紙口１４１から給送され、前記排排紙口１４１から排出される第２の媒体給送経路Ｌ２を備える。これにより、装置前面側からも媒体を供給することができるので、装置が比較的高所に載置されても媒体交換を容易に行うことができる。【選択図】      図３
2005280132.tif 000002
【特許請求の範囲】
【請求項１】
媒体を搬送して、搬送される前記媒体に文字を含む画像を記録する記録装置であって、
装置背面側に設けられた第１の自動給送部から給送され、記録部を介して装置前面側に設けられた排出部から排出される第１の媒体給送経路と、装置前面側に設けられた給送口から前記媒体を挿入し第２の自動給送部から給送され、前記記録部を介して前記排出部から排出される第２の媒体給送経路を備えていることを特徴とする記録装置。
【請求項２】
前記排出部から給送され当該排出部から排出される折り曲げ不可な媒体を給送する第３の媒体給送経路を備えていることを特徴とする請求項１に記載の記録装置。
【請求項３】
前記第１の媒体給送経路は、略円弧状に形成され、前記第２の媒体給送経路は、略Ｕ字状に形成され、前記第３の媒体搬送経路は、略直線状に形成されていることを特徴とする請求項１または２に記載の記録装置。
【請求項４】
前記第１の媒体給送経路及び前記第２の媒体給送経路から搬送された記録済みの媒体を、前記排出部から逆転させて前記第２の自動給送部まで搬送し、当該第２の自動給送部から記録部に向けて搬送する第４の媒体給送経路を備えていることを特徴とする請求項１〜３の何れか一項に記載の記録装置。
【請求項５】
前記媒体に記録するための記録材の貯留部が、前記排出部及び前記第２の媒体給送経路の少なくとも一側端側に配設されていることを特徴とする請求項１〜４の何れか一項に記載の記録装置。
【請求項６】
画像情報を読み取る読取装置が、装置上部に一体的に配設されていることを特徴とする請求項１〜５の何れか一項に記載の記録装置。
【請求項７】
請求項１〜６の何れか一項に記載の記録装置を使用して前記媒体の両面に記録する記録方法であって、
前記媒体を前記第２の自動給送部から前記排出部に至る略Ｕ字経路で給送して第１の面に記録し、
前記排出部に至った当該媒体の後端を前記第２の自動給送部側へ移動させ、
当該媒体を再び前記第２の自動給送部から前記排出部に至る略Ｕ字経路で給送して第２の面に記録することを特徴とする記録方法。
【発明の詳細な説明】
【技術分野】
【０００１】
本発明は、媒体を搬送して、搬送される前記媒体に文字を含む画像を記録する記録装置に関する。
【背景技術】
【０００２】
プリンタ機能、スキャナ機能及びコピー機能を兼ね備えたインクジェット式複合機が開発されている。このインクジェット式複合機は、本体下部にプリンタが配設され、本体上部にスキャナが配設されており、本体背面側に用紙の給紙部が配設され、本体前面側に用紙の排紙部が配設されている。そして、本体内部には、下部に記録ヘッドが搭載され、上部にインクカートリッジが搭載されたキャリッジが配設されている。
【０００３】
【特許文献１】特開２００１−９６８４３号公報
【発明の開示】
【発明が解決しようとする課題】
【０００４】
上述したインクジェット式複合機は、プリンタの上にスキャナが配設された構成となっているため、本体高さが高くなる傾向にある。一般的にインクジェット式複合機は比較的高所に載置されて使用されるが、ユーザは、本体背面側に配設されている給紙部に手を伸ばして用紙を交換する必要があり、本体高さが高いと用紙交換作業が容易ではない。さらに、インクカートリッジを交換するためには、スキャナを上方に開放し、その開放口から本体内部に手を入れてカートリッジ交換する必要があり、本体高さが高いとスキャナの開放が困難であるのみならず、カートリッジ交換の際にキャリッジに力が掛かってアライメントが狂うおそれがある。
【０００５】
本発明は、上記のような種々の課題に鑑みなされたものであり、その目的は、媒体の交換や記録材の交換が容易な記録装置を提供することにある。
【課題を解決するための手段】
【０００６】
上記目的達成のため、本発明の媒体給送装置では、媒体を搬送して、搬送される前記媒体に文字を含む画像を記録する記録装置であって、装置背面側に設けられた第１の自動給送部から給送され、記録部を介して装置前面側に設けられた排出部から排出される第１の媒体給送経路と、装置前面側に設けられた給送口から前記媒体を挿入し第２の自動給送部から給送され、前記記録部を介して前記排出部から排出される第２の媒体給送経路を備えていることを特徴としている。これにより、装置前面側からも媒体を供給することができるので、装置が比較的高所に載置されても媒体交換を容易に行うことができる。
【０００７】
また、前記排出部から給送され当該排出部から排出される折り曲げ不可な媒体を給送する第３の媒体給送経路を備えていることを特徴としている。これにより、従来は記録不可能であった媒体でも記録することができる。また、前記前記第１の媒体給送経路は、略円弧状に形成され、前記第２の媒体給送経路は、略Ｕ字状に形成され、前記第３の媒体搬送経路は、略直線状に形成されていることを特徴としている。これにより、装置前面側から全ての記録済みの媒体を取り出すことができるので、装置が比較的高所に載置されても媒体を容易に回収することができる。
【０００８】
前記第１の媒体給送経路及び前記第２の媒体給送経路から搬送された記録済みの媒体を、前記排出部から逆転させて前記第２の自動給送部まで搬送し、当該第２の自動給送部から記録部に向けて搬送する第４の媒体給送経路を備えていることを特徴としている。これにより、媒体の両面記録を比較的簡易に行うことが可能となる。また、前記媒体に記録するための記録材の貯留部が、前記排出部及び前記第２の媒体給送経路の少なくとも一側端側に配設されていることを特徴としている。これにより、装置前面側からも記録材を供給することができるので、装置が比較的高所に載置されても記録材交換を容易に行うことができる。そして、本体内の構成部品のレイアウトスペースの無駄を少なくすることができる。また、画像情報を読み取る読取装置が、装置上部に一体的に配設されていることを特徴としている。これにより、複合機の高さを低くすることができる。
【０００９】
上記目的達成のため、本発明の上記各記録装置を使用して前記媒体の両面に記録する記録方法であって、前記媒体を前記第２の自動給送部から前記排出部に至る略Ｕ字経路で給送して第１の面に記録し、前記排出部に至った当該媒体の後端を前記第２の自動給送部側へ移動させ、当該媒体を再び前記第２の自動給送部から前記排出部に至る略Ｕ字経路で給送して第２の面に記録することを特徴としている。これにより、媒体の両面記録を比較的簡易に行うことが可能となる。
【発明を実施するための最良の形態】
【００１０】
図１は、本発明の一実施の形態に係る記録装置の１つであるインクジェット式複合機の外観構成の全体を示す斜視図、図２は、その内部構造を示す斜視図、図３は、その概略側面図である。このインクジェット式複合機１００は、例えばＪＩＳ規格のＬ判やＡ６判からＡ４判までのサイズの単票紙やハガキに記録することができるプリンタ機能と、ＪＩＳ規格のＡ４判までのサイズの原稿及びＵＳ規格のレターサイズまでの原稿を読み取ることができるスキャナ機能と、ＪＩＳ規格のＬ判、２Ｌ判、Ｂ５判、Ａ４判、六切り、ハガキのサイズの用紙に複写することができるコピー機能を備えている。
【００１１】
このインクジェット式複合機１００は、図１に示すように、全体が略直方体状のハウジング１０１で覆われており、下段にプリンタ１１０が配設され、上段にスキャナ（読取装置）１２０が配設された構成となっている。そして、背面側に本発明の特徴的な部分を含む給紙部１３０が配設され、前面側に本発明の特徴的な部分を含む給排紙部１４０が配設されている。ユーザは、記録前の用紙のセッティング方向として背面側の給紙部１３０及び前面側の給排紙部１４０の一方または両方を選択することができるので、インクジェット式複合機１００の設置位置の自由度を高めることができる。さらに、記録後の用紙は常に前面側の給排紙部１４０から排紙されるので、ユーザは用紙を容易に取り出すことができる。また、普通紙と専用紙を給紙部１３０と給排紙部１４０に振り分けて使用することにより、用紙のセット時間を短縮させることができる。
【００１２】
図３の一点鎖線で示す背面側の給紙部１３０の給紙経路（第１の媒体給送経路）Ｌ１は、リア給紙口１３１からフロント給排紙口１４１に至る下に凸の略円弧状に形成されている。このように給紙経路Ｌ１が下に凸の略円弧状に形成されているので、給紙される用紙はプラテン１５５に押し付けられて平坦になる。したがって、記録ヘッド１５４と用紙の距離を一定に保つことができ、高記録精度を維持することができる。
【００１３】
また、図３の破線で示す前面側の給排紙部１４０の給紙経路（第２の媒体給送経路）Ｌ２は、フロント給排紙口１４１からフロント給排紙口１４１に至る略Ｕ字状に形成されている。このように給紙経路Ｌ２が略Ｕ字状に形成されているので、ユーザは給排紙時のエラーの解除作業等を容易に行うことができる。また、用紙を給紙トレイ１４２にセットした状態で長期間放置しても、用紙は水平に保持されているので、用紙の変形を防止して紙ジャム等の発生を防止することができる。また、腰の弱い用紙であっても容易にセットすることができる。
【００１４】
また、図３の二点鎖線で示す前面側の給排紙部１４０における給紙経路（第３の媒体給送経路）Ｌ３は、フロント給排紙口１４１から水平方向に略直線状に形成されている。このように給紙経路Ｌ３が略直線状に形成されているので、給排紙時に折り曲げることが不可能な厚手の用紙や光ディスク等が収納されたトレイを手差しで給紙、供給して記録することができる。
【００１５】
ハウジング１０１の上面には、図１に示す矩形平板状のスキャナカバー１０２が配設されている。このスキャナカバー１０２は、前部に取っ手１０３が形成されており、後部の回転軸を中心に図示矢印ａ方向に回動可能に取り付けられている。ユーザは、スキャナ１２０を使用するときは取っ手１０３に指を差し込んでスキャナカバー１０２を開閉することができるので、原稿の出し入れを容易に行うことができる。
【００１６】
ハウジング１０１の前面両側には、図２に示す複数のインクカートリッジ（記録材の貯留部）１０が抜き差しされるカートリッジ収納部１０４がそれぞれ形成されている。各インクカートリッジ１０は、記録用の各色のインクを貯留している。各カートリッジ収納部１０４は、図１に示す透明もしくは半透明のカートリッジカバー１０５によって覆われている。カートリッジカバー１０５は、その下部の回動軸を中心に図示矢印ｂ方向に回動可能に取り付けられている。このインクカートリッジ１０から記録ヘッド１５４へのインクの供給は、図示しないコンプレッサにより行われるので、インク切れやインク詰まり等を防止することができる。
【００１７】
ユーザは、従来のように重量のあるスキャナ１２０全体を持ち上げてプリンタ１１０の内部を開放しなくても、カートリッジカバー１０５を軽く押して係止部を外しカートリッジ収納部１０４を開放するのみにより、インクカートリッジ１０の交換作業等を行うことができるので、作業効率を向上させることができる。また、インクカートリッジ１０の交換作業の際にキャリッジ１５３に不要な力が掛かることが無く、アライメントの狂いを防止することができる。また、キャリッジ１５３の大きさを従来よりも小さくすることができるので、インクジェット式複合機１００自体を小型化することができる。
【００１８】
ハウジング１０１の上面のスキャナカバー１０２の手前には、図１に示すように、プリンタ１１０、スキャナ１２０、コピーの各動作を指示する操作部１０６が配設されている。操作部１０６は、パワーをオン・オフするパワー系、用紙の頭出し等を操作したりインクのフラッシング等を操作する操作系、画像処理等を行う処理系等の図示しないボタン等と、状態を表示する液晶パネル１０７等を備えている。ユーザは、液晶パネル１０７を見て確認しながらボタン等を操作することができる。
【００１９】
ハウジング１０１内には、図２及び図３に示すように、給紙部１３０、給排紙部１４０、記録部１５０等が配設されている。給紙部１３０には、図１に示すように、上方に向かって矩形状に開口したリア給紙口１３１が形成され、このリア給紙口１３１の両端縁と後縁に沿ってフレーム１３２が配設されている。そして、このフレーム１３２には、図１〜図３に示すように、給紙する用紙を１枚もしくは複数枚サポートするペーパーサポート１３３と、ペーパーサポート１３３にサポートされている用紙を１枚ずつ自動的に給送する背面給紙機構（以下、リアＡＳＦという）１３４等が配設されている。このリアＡＳＦ１３４については後述し、ここではペーパーサポート１３３について説明する。
【００２０】
図４は、ペーパーサポート１３３とリアＡＳＦ１３４の詳細を示す側面図であり、図１〜図４を参照して説明する。ペーパーサポート１３３は、用紙の裏面をサポートする第１サポート２１及び第２サポート２２と、用紙の両サイドエッジをガイドする固定エッジガイド２３と可動エッジガイド２４等を備えている。
【００２１】
第１サポート２１は、平板状に形成されてフレーム１３２の後壁内側に格納・引出自在に配設され、第２サポート２２は、平板状に形成されて第１サポート２１に格納・引出自在に配設されている。第１サポート２１及び第２サポート２２は、給紙方向に伸縮自在に形成されているので、不使用のときはコンパクトに格納しておくことができ、また使用のときは種々のサイズの用紙を確実にサポートすることができる。
【００２２】
また、固定エッジガイド２３は、フレーム１３２の装置前面側から見て右側壁に沿う形状でホッパ３１と一体形成され、可動エッジガイド２４は、フレーム１３２の装置前面側から見て左側壁に沿う形状に形成され、フレーム１３２の左側壁と右側壁の間をフレーム１３２の後壁と略平行に移動可能なようにホッパ３１に取り付けられている。固定エッジガイド２３と可動エッジガイド２４は、用紙のサイズが異なっても確実に用紙の両側縁をガイドすることができるので、給送を高精度に行うことができる。
【００２３】
給排紙部１４０には、図２及び図３に示すように、前方に向かって矩形状に開口したフロント給排紙口１４１が形成され、このフロント給排紙口１４１の下側に給紙トレイ１４２が配設され、給紙トレイ１４２の上側に排紙トレイ１４３が配設されている。そして、フロント給排紙口１４１の奧には、図３に示すように、給紙トレイ１４２に収納されている用紙を１枚ずつ自動的に給送する前面給紙機構（以下、フロントＡＳＦという）１４４と、排紙トレイ１４３に用紙を自動的に排送する前面排紙機構（以下、フロントＥＪという）１４５が配設されている。このフロントＡＳＦ１４４については後述し、ここでは給紙トレイ１４２、排紙トレイ１４３及びフロントＥＪ１４５について説明する。
【００２４】
給紙トレイ１４２は、図２及び図３に示すように、平板状に形成されており、上面に記録前の給紙される用紙が積層収納されるようなっている。排紙トレイ１４３は、図２及び図３に示すように、第１トレイ１４３ａ、第２トレイ１４３ｂ及び第３トレイ１４３ｃを備えている。第１トレイ１４３ａは、平板状に形成されて後部が給排紙部１４０の奧の本体フレーム１０８に回動自在に配設され、第２トレイ１４３ｂは、平板状に形成されて第１トレイ１４３ａに格納・引出自在に配設され、第３トレイ１４３ｃは、平板状に形成されて第２トレイ１４３ｂに格納・引出自在に配設されている。
【００２５】
排紙トレイ１４３は、第２トレイ１４３ｂ及び第３トレイ１４３ｃが引き出された状態で、上面に記録後の排紙される用紙が積層載置されるようなっている。第２トレイ１４３ｂ及び第３トレイ１４３ｃは、排紙方向に伸縮自在に形成されているので、不使用のときはコンパクトに格納しておくことができ、また使用のときは種々のサイズの排紙される用紙を確実に積層載置することができる。
【００２６】
フロントＥＪ１４５は、図３に示すように、第１排紙ローラ５１と第１ギザローラ５２、第２排紙ローラ５３と第２ギザローラ５４等を備えている。第１排紙ローラ５１は、プラテン１５５の搬送下流側に配設されており、プラテン１５５を通過してくる用紙を第１ギザローラ５２とともに挟持して排送し、さらに第２排紙ローラ５３は、第１排紙ローラ５１の搬送下流側に配設されており、その用紙を第２ギザローラ５４とともに挟持して排紙トレイ１４３上へ排送するようになっている。
【００２７】
図５は、フロントＡＳＦ１４４の詳細を示す側面図、図６は、リアＡＳＦ１３４とフロントＡＳＦ１４４の詳細を示す斜視図であり、図３〜図６を参照して説明する。リアＡＳＦ１３４は、ペーパーサポート１３３にサポートされている用紙を給送するために持ち上げるホッパ３１、このホッパ３１により持ち上げられた用紙を取り出す給紙ローラ３２、この給紙ローラ３２により重送された用紙を１枚のみに分離するリタードローラ３３、このリタードローラ３３により分離された残りの用紙をホッパ３１へ戻すリア紙戻しユニット３４等を備えている。
【００２８】
ホッパ３１は、用紙が載置可能な平板状に形成されてフレーム１３２の後壁と略平行に配設されており、下端が給紙ローラ３２の近傍に位置し、上端がフレーム１３２の後壁頂部に近接して位置するように配設されている。そして、ホッパ３１は、下端側の裏面にフレーム１３２の後壁に一端が取り付けられた図示しない圧縮バネの他端が取り付けられており、この圧縮バネの伸縮により上端側を中心に下端側が旋回するように配設されている。
【００２９】
給紙ローラ３２は、断面の一部が切り欠かれたＤ字状に形成されてホッパ３１の下端近傍に配設されており、間欠的に回転してホッパ３１により持ち上げられた用紙を摩擦給送するようになっている。リタードローラ３３は、給紙ローラ３２と当接可能に配設されており、給紙ローラ３２により用紙が重送されたときに最上層の用紙のみを下層の用紙から摩擦分離するようになっている。リア紙戻しユニット３４は、爪状に形成されて給紙ローラ３２の近傍に配設されており、リタードローラ３３により分離された下層の用紙を爪に掛けてホッパ３１へ戻すようになっている。
【００３０】
フロントＡＳＦ１４４は、給紙トレイ１４２に収納されている用紙を取り出すピックアップローラユニット４１、このピックアップローラユニット４１により取り出された用紙の向きを変える土手部４２を備えている。さらに、ピックアップローラユニット４１により重送された用紙を１枚のみに分離するリタードローラユニット４３、このリタードローラユニット４３により分離された残りの用紙を給紙トレイ１４２に戻すフロント紙戻しユニット４４、給送される用紙をＵ字状に反転させる中間ローラ４５及びアシストローラ４６等を備えている。
【００３１】
ピックアップローラユニット４１は、給紙トレイ１４２の後部上方に配置され給紙トレイ１４２に対して上下に旋回自在に配設されており、下降して給紙トレイ１４２に収納されている用紙を摩擦給送するようになっている。土手部４２は、給紙トレイ１４２の後部にて後方に向けて傾斜するように配設されており、ピックアップローラユニット４１により給送される用紙の先端を上方に方向変換するようになっている。
【００３２】
リタードローラユニット４３は、中間ローラ４５と当接可能に配設されており、ピックアップローラユニット４１により用紙が重送されたときに最上層の用紙のみを下層の用紙から摩擦分離するようになっている。フロント紙戻しユニット４４は、爪状に形成されてリタードローラユニット４３の近傍に配設されており、リタードローラユニット４３により分離された下層の用紙を爪に掛けて給紙トレイ１４２へ戻すようになっている。アシストローラ４６は、中間ローラ４５に対して常時当接するように配設されており、リタードローラユニット４３により分離された最上層の用紙を中間ローラ４５と挟持してＵ字状に反転させ、プラテン１５５へ給送するようになっている。
【００３３】
リアＡＳＦ１３４とフロントＡＳＦ１４４は、同一の給紙モータ６１で駆動される。すなわち、リアＡＳＦ１３４は、給紙モータ６１に連結されているリアＡＳＦ歯車機構６２により駆動される。一方、ピックアップローラユニット４１を除くフロントＡＳＦ１４４は、給紙モータ６１に連結されているフロントＡＳＦ歯車機構６３により駆動される。そして、ピックアップローラユニット４１は、フロントＡＳＦ歯車機構６３に連結されているピックアップローラユニット駆動機構６４により駆動される。このピックアップローラユニット駆動機構６４は、フロントＡＳＦ歯車機構６３に連結されている伝達ベルト機構６５と、この伝達ベルト機構６５に連結されている伝達軸機構６６と、この伝達軸機構６６に連結されている昇降機構６７及び伝達ベルト機構６８を備えている。
【００３４】
記録部１５０には、図３に示すように、記録動作に同期して副走査方向に用紙を送る紙送りローラ１５１とその従動ローラ１５２、記録動作に同期して主走査方向に移動するキャリッジ１５３、記録動作に同期してインクを吐出する記録ヘッド１５４、記録時の用紙を平坦に保持するプラテン１５５、両面記録時に動作する両面記録機構７０等が配設されている。
【００３５】
紙送りローラ１５１は、図３に示すように、プラテン１５５の搬送上流側に配設されており、給紙ローラ３２により給送される用紙もしくは中間ローラ４５により反転給送される用紙を図２に示す紙送り機構１５６により従動ローラ１５２とともに挟持してプラテン１５５へ送り出すようになっている。キャリッジ１５３は、プラテン１５５の上方で図３に示すキャリッジガイド軸１５７に貫装されて図２に示すキャリッジベルト１５８に連結されており、図２に示すキャリッジモータ１５９によってキャリッジベルト１５８が作動すると、キャリッジベルト１５８の動きに連行され、キャリッジガイド軸１５７に案内されて往復移動するようになっている。
【００３６】
記録ヘッド１５４は、図３に示すように、プラテン１５５と所定の間隔が空くようにしてキャリッジ１５３に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５４は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。
【００３７】
両面記録機構７０は、用紙の両面に記録する際に上下動するようになっている。すなわち、両面記録機構７０は、表面が記録されて搬送されてきた用紙の後端を下方へ押し下げて給紙トレイ１４２へ戻し、ピックアップローラユニット４１で再度給紙させて裏面を記録させるようになっている。これにより、複雑な両面記録機構を別に配設したりする必要が無くなるので、インクジェット式複合機１００を小型化することができる。
【００３８】
このような構成において、インクジェット式複合機１００にて用紙に記録する場合の動作について説明する。なお、両面記録については図７〜図１０を参照して説明する。上述したように、ユーザは、リア給紙を行うかフロント給紙を行うかをプリンタドライバにより選択することができる。ユーザが、リア給紙を選択した場合、先ず、ユーザは、ペーパーサポート１３３の第２サポート２２を第1サポート２１から完全に引き出すとともに、第1サポート２１をフレーム１３２から完全に引き出してセットする。そして、記録前の複数枚の用紙Ｐをペーパーサポート１３３に収納してインクジェット式複合機１００を起動する。
【００３９】
すると、上述した動作によりリアＡＳＦ１３４に切り替えられ、ペーパーサポート１３３に積層収納された用紙Ｐは、給紙ローラ３２の回転に機械的に同期した圧縮バネの復元によるホッパ３１の上昇により給紙ローラ３２に押付けられ、最上層の用紙Ｐのみがリタードローラ３３により分離されて紙送りローラ１５１へ給送される。そして、用紙Ｐは、スキュー取り及び頭出しされた後、紙送り機構１５６により駆動されている紙送りローラ１５１とその従動ローラ１５２に挟持されてプラテン１５５へ給送される。
【００４０】
一方、ユーザが、フロント給紙を選択した場合、先ず、ユーザは、記録前の複数枚の用紙Ｐを給紙トレイ１４２に収納してインクジェット式複合機１００を起動する。給紙トレイ１４２に積層収納された用紙Ｐは、ピックアップローラユニット４１により中間ローラ４５に摩擦給送され、最上層の用紙Ｐのみがリタードローラユニット４３により分離されて給送される（図７参照）。そして、用紙Ｐは、スキュー取り及び頭出しされた後、紙送り機構１５６により駆動されている紙送りローラ１５１とその従動ローラ１５２に挟持されてプラテン１５５へ給送される（図７参照）。
【００４１】
プラテン１５５へ給送された用紙Ｐは、キャリッジモータ１５９とキャリッジベルト１５８により走査されるキャリッジ１５３に搭載された記録ヘッド１５４により記録される。このとき、インクジェット式複合機１００の制御部は、例えばイエロー、マゼンタ、ライトマゼンタ、シアン、ライトシアン、ブラックの計７色のインクカートリッジから記録ヘッド１５４へ各色インクを供給し、各色インクの吐出タイミング及びキャリッジ１５３や紙送りローラ１５１の駆動を制御して、高精度なインクドット制御、ハーフトーン処理等を実行する（図７参照）。そして、記録が完了した用紙Ｐは、紙送り機構１５６により駆動されている第１排紙ローラ５１と第１ギザローラ５２、第２排紙ローラ５３と第２ギザローラ５４に挟持されて給排紙部１４０へ排紙され、排紙トレイ１４３上へ積層載置される。
【００４２】
一方、両面記録を行う場合は、表面の記録が完了した用紙Ｐの後端が、第１排紙ローラ５１と第１ギザローラ５２の挟持を外れて両面記録機構７０まで達したら（図８参照）、両面記録機構７０が下降して給紙トレイ１４２側へ押し下げられる（図９参照）。そして、用紙Ｐは、第２排紙ローラ５３と第２ギザローラ５４の逆転によりピックアップローラユニット４１に向けて搬送され、上述したようピックアップローラユニット４１により中間ローラ４５に摩擦給送される（図１０参照）。
【００４３】
そして、用紙Ｐは、スキュー取り及び頭出しされた後、紙送り機構１５６により駆動されている紙送りローラ１５１とその従動ローラ１５２に挟持されてプラテン１５５へ給送される（図１０参照）。プラテン１５５へ給送された用紙Ｐは、キャリッジモータ１５９とキャリッジベルト１５８により走査されるキャリッジ１５３に搭載された記録ヘッド１５４により裏面が記録される（図１０参照）。そして、記録が完了した用紙Ｐは、紙送り機構１５６により駆動されている第１排紙ローラ５１と第１ギザローラ５２、第２排紙ローラ５３と第２ギザローラ５４に挟持されて給排紙部１４０へ排紙され、排紙トレイ１４３上へ積層載置される。
【００４４】
以上のように、本実施形態のインクジェット式複合機１００によれば、背面側の給紙部１３０から給紙され、前面側に設けられたフロント給排紙口１４１から排紙される給紙経路Ｌ１と、前面側に設けられたフロント給排紙口１４１から給紙され、フロント給排紙口１４１から排紙される給紙経路Ｌ２を備えているので、前面側からも用紙を給紙することができ、インクジェット式複合機１００が比較的高所に載置されても用紙交換を容易に行うことができる。
【産業上の利用可能性】
【００４５】
記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４６】
【図１】本発明の一実施の形態に係る記録装置の１つであるインクジェット式複合機の外観構成の全体を示す斜視図である。
【図２】図１の複合機の内部構造を示す斜視図である。
【図３】図２の複合機の内部構造の概略側面図である。
【図４】図１の複合機のペーパーサポートとリアＡＳＦの詳細を示す側面図である。
【図５】図１の複合機のフロントＡＳＦの詳細を示す側面図である。
【図６】図１の複合機のリアＡＳＦとフロントＡＳＦの詳細を示す斜視図である。
【図７】両面記録を行うときの動作を示す第１の図である。
【図８】両面記録を行うときの動作を示す第２の図である。
【図９】両面記録を行うときの動作を示す第３の図である。
【図１０】両面記録を行うときの動作を示す第４の図である。
【符号の説明】
【００４７】
２１  第１サポート、２２  第２サポート、２３  固定エッジガイド、２４  可動エッジガイド、３１  ホッパ、３２  給紙ローラ、４１  ピックアップローラユニット、４３  リタードローラユニット、４４  フロント紙戻しユニット、４５  中間ローラ、６０  ピックアップホルダ、６１  給紙モータ、６２  リアＡＳＦ歯車機構、６３  フロントＡＳＦ歯車機構、６４  ピックアップローラ駆動機構、６７  昇降機構、６９  ピックアップローラ、７０  両面記録機構、１００  インクジェット式複合機、１０１  ハウジング、１１０  プリンタ、１２０  スキャナ、１３０  給紙部、１３１  リア給紙口、１３２  フレーム、１３３  ペーパーサポート、１３４  リアＡＳＦ、１４０  給排紙部、１４１  給排紙口、１４４  フロントＡＳＦ、１５０  記録部、１５１  紙送りローラ、１５３  キャリッジ、１５６  紙送り機構
【図１】
2005280132.tif 000003
【図２】
2005280132.tif 000004
【図３】
2005280132.tif 000005
【図４】
2005280132.tif 000006
【図５】
2005280132.tif 000007
【図６】
2005280132.tif 000008
【図７】
2005280132.tif 000009
【図８】
2005280132.tif 000010
【図９】
2005280132.tif 000011
【図１０】
2005280132.tif 000012